(57)【要約】【課題】  ユーザが誤ったインジケーターを使用することを低減可能にすること。【解決手段】  被滅菌物の種類を受け付ける受付手段と、滅菌に関するインジケーターに記録された識別情報を読み取る読取手段と、前記読取手段により読み取られた識別情報により識別されるインジケーターが、前記受付手段で受け付けた被滅菌物の種類に対応する滅菌方法のインジケーターではない場合に、アラートを出力する出力手段と、を備えることを特徴とする。【選択図】  図３
2020113205.tif 000002
【特許請求の範囲】
【請求項１】
被滅菌物の種類を受け付ける受付手段と、
滅菌に関するインジケーターに記録された識別情報を読み取る読取手段と、
前記読取手段により読み取られた識別情報により識別されるインジケーターが、前記受付手段で受け付けた被滅菌物の種類に対応する滅菌方法のインジケーターではない場合に、アラートを出力する出力手段と、
を備えることを特徴とする情報処理システム。
【請求項２】
前記読取手段により読み取られた識別情報により識別されるインジケーターが、前記受付手段で受け付けた被滅菌物の種類に対応する滅菌方法のインジケーターであるかを判定する判定手段を備え、
前記出力手段は、前記判定手段により、前記読取手段により読み取られた識別情報により識別されるインジケーターが、前記受付手段で受け付けた被滅菌物の種類に対応する滅菌方法のインジケーターではないと判定された場合に、アラートを出力することを特徴とする請求項１に記載の情報処理システム。
【請求項３】
前記読取手段は、滅菌ガスにより変色する前記インジケーターの変色部の色の色値を読み取り、
前記読取手段により読み取られた色値が、初期色に関する規定値ではない場合に、アラートを出力する初期色出力手段を更に備えることを特徴とする請求項１又は２に記載の情報処理システム。
【請求項４】
被滅菌物の種類を受け付ける受付工程と、
滅菌に関するインジケーターに記録された識別情報を読み取る読取工程と、
前記読取工程により読み取られた識別情報により識別されるインジケーターが、前記受付工程で受け付けた被滅菌物の種類に対応する滅菌方法のインジケーターではない場合に、アラートを出力する出力工程と、
を備えることを特徴とする情報処理システムの制御方法
【請求項５】
コンピュータを、請求項１乃至３の何れかの情報処理システムとして機能させるためのプログラム。
【発明の詳細な説明】
【技術分野】
【０００１】
本発明は、情報処理システム、及び、その制御方法、プログラムに関し、特に、ユーザが誤ったインジケーターを使用することを低減可能にするするための技術に関する。
【背景技術】
【０００２】
従来、特許文献１には、各手術器材に対してＩＤ番号を付与しておき、各手術器材を管理する方法について、提案されている。
【０００３】
また、特許文献２には、滅菌処理器１２を特定するためのバーコードの識別標識７１を備えたケミカルインジケーターが開示されている。
【先行技術文献】
【特許文献】
【０００４】
【特許文献１】特開平７−１７８１０６号公報
【特許文献２】特開２００７−３０７０８８号公報
【発明の開示】
【発明が解決しようとする課題】
【０００５】
従来、被滅菌物の滅菌に係る作業を行うユーザは、滅菌しようと考えている被滅菌物の種類に対応する滅菌方法のインジケーターではないインジケーターを、滅菌に用いてしまった場合、適切に、インジケーターによる滅菌に係る評価を行うことが出来なかった。
【０００６】
そこで、本発明の目的は、ユーザが誤ったインジケーターを使用することを低減可能にするための仕組みを提供することである。
【課題を解決するための手段】
【０００７】
本発明は、被滅菌物の種類を受け付ける受付手段と、滅菌に関するインジケーターに記録された識別情報を読み取る読取手段と、前記読取手段により読み取られた識別情報により識別されるインジケーターが、前記受付手段で受け付けた被滅菌物の種類に対応する滅菌方法のインジケーターではない場合に、アラートを出力する出力手段と、を備えることを特徴とする。
【発明の効果】
【０００８】
本発明によれば、ユーザが誤ったインジケーターを使用することを低減可能にすることができる。
【図面の簡単な説明】
【０００９】
【図１】本発明の情報処理システムのシステム構成の一例を示すである。
【図２】図１に示すサーバ１０１、手術管理システム１２２、クライアント端末１０２、１０６、１０９、１１３、１１６、１１９に適用可能な情報処理装置のハードウェア構成の一例を示すブロック図である。
【図３】組立・包装工程において、サーバ１０１が実行する処理の一例を示すフローチャートである。
【図４】滅菌工程において、サーバ１０１が実行する処理の一例を示すフローチャートである。
【図５】保管工程において、サーバ１０１が実行する処理の一例を示すフローチャートである。
【図６】払出工程において、サーバ１０１が実行する処理の一例を示すフローチャートである。
【図７】開封工程・手術工程において、サーバ１０１が実行する処理の一例を示すフローチャートである。
【図８】開封工程・手術工程において、サーバ１０１が実行する処理の一例を示すフローチャートである。
【図９】回収工程において、サーバ１０１が実行する処理の一例を示すフローチャートである。
【図１０】サーバ１０１が、各クライアント端末からの要求に応じて、滅菌管理レポートの出力（表示）する処理の一例を示すフローチャートである。
【図１１】器材セット選択画面１１０１の一例を示す図である。
【図１２】ケミカルインジケーター１２０５の一例を示す図である。
【図１３】図１３（Ａ）は、切れ目１２０３で切る前のケミカルインジケーター１２０５の一例であり、図１３（Ｂ）は、切れ目１２０３で切った後のケミカルインジケーター１２０５の一例である。
【図１４】図１４（Ａ）は、包装材１４０１に、機材セットと包装内部用シート１３０１を入れた図の一例であり、図１４（Ｂ）は、機材セットと包装内部用シート１３０１を入れた包装材１４０１に蓋をして、その蓋に包装外部用シート１３０２を貼り付けた図の一例である。
【図１５】サーバ１０１の外部メモリ等の記憶手段に記憶されているデータテーブルの一例を示す図である。
【図１６】各アラート画面（１６００、１６０１、１６０３〜１６０７）、及び器材の組み立て方法、及びメンテナンス方法、器材セットの包装内への置き方を示す表示画面（１６０２）の一例を示す図である。
【図１７】サイクルレポートの一例を示す図である。
【図１８】所定の条件の一例を示す図である。
【図１９】滅菌管理レポート１９０１の一例を示すである。
【図２０】手術情報（オーダー情報）２００１の一例を示す図である。
【図２１】クライアント端末１１６に表示される手術情報（オーダー情報）２００１の一例を示す図である。
【発明を実施するための形態】
【００１０】
以下、図面を参照して、本発明の実施形態を詳細に説明する。
【００１１】
図１は、本発明の情報処理システムのシステム構成の一例を示す図である。
【００１２】
図１に示す情報処理システムは、病院内に設置している各クライアント端末（１０２、１０６、１０９、１１３、１１６、１１９）と、サーバ１０１、手術管理システム１２２を含むシステムである。サーバ１０１、手術管理システム１２２は、病院内に設置してもよい。
【００１３】
本実施形態では、各クライアント端末を病院内に設置する例として説明するが、病院ではなく滅菌を行う施設であればよい。サーバ１０１、手術管理システム１２２も同様に病院ではなく滅菌を行う施設に設置してもよい。
【００１４】
病院内には、図１に示すように、中央材料室、洗浄室、組立エリア、滅菌エリア、既滅菌エリア、払出エリア、手術室／手術準備室を備えている。ここで、組立エリアと滅菌エリアは同一の部屋で、既滅菌エリアと払出エリアは同一の部屋として説明する。
【００１５】
中央材料室には、クライアント端末１０２と、クライアント端末１０２と通信可能に接続された読取装置１０３と、クライアント端末１０２と通信可能に接続された撮像装置１０４とが設置されている。読取装置１０３は、後述するインジケーター（ケミカルインジケーター１２０５）の識別情報部（１２０２、１２０４）、及び変色部１２０１を撮影して読み取る装置である。すなわち、読取装置１０３は、識別情報部（１２０２、１２０４）、及び変色部１２０１を撮影してその画像を取得する撮像装置である。読取装置１０３は、当該画像を、クライアント端末１０２に送信してクライアント端末１０２は当該画像を取得する。クライアント端末１０２は、当該画像をサーバ１０１に送信する機能を備えている。また、読取装置１０３は、当該画像の中の識別情報部に記録された情報を読み取り、当該画像と共に当該情報をクライアント端末１０２に送信して、クライアント端末１０２がサーバ１０１に当該画像と当該情報を送信するようにすることもできる。図１に示す各読取装置、各クライアント端末は、これと同様の処理を行う機能を備えている。
【００１６】
識別情報部（１２０２、１２０４）は、例えば、一次元コードや二次元コード等のコードである。識別情報部に記録された情報は、ケミカルインジケーター１２０５を識別する識別情報である。詳しくは後述するが、識別情報部に記録された情報としては、結果的に被滅菌物を特定するための情報として機能する情報である。ケミカルインジケーターを単にＣＩとも言う。また、撮像装置１０４は、デジタルカメラである。
【００１７】
また、中央材料室は、手術室／手術準備室で使用された被滅菌物（器材、各器材のセット（器材セット））が回収され、当該器材セットの種類や器材の数を確認する部屋である。そのため、中央材料室における工程を回収工程という。
【００１８】
洗浄室は、作業者（ユーザ）が、中央材料室で確認された器材を各アイテムに分解して、当該各アイテムを洗浄機１０５で洗浄する部屋である。洗浄室での工程を洗浄工程という。
【００１９】
組立エリアでは、作業者（ユーザ）が、洗浄機１０５で洗浄された各アイテムを組み立てて器材とし、当該器材のセットを滅菌コンテナ等の包装材の中にセットして包装するエリアである。そのため、組立エリアにおける工程を組立・包装工程という。
【００２０】
組立エリアには、読取装置１０７と、撮像装置１０８と、クライアント端末１０６とが設置されており、クライアント端末１０６は、読取装置１０７と撮像装置１０８と通信可能に接続されている。
【００２１】
滅菌エリアでは、作業者（ユーザ）が、組立エリアで組み立てられ包装された器材セットを滅菌器１１２の滅菌室に入れて滅菌するエリアである。そのため、滅菌エリアにおける工程を滅菌工程という。
【００２２】
滅菌エリアには、読取装置１１０と、クライアント端末１０９とを備え、クライアント端末１０９は、読取装置１１０と通信可能に接続されている。
【００２３】
滅菌器１１２は、例えば、一般的なダブルドアの仕様になっており、滅菌エリアから滅菌器１１２の滅菌室に器材セットを入れることができ、滅菌器１１２の滅菌室で滅菌された器材セットは、後述する既滅菌エリアに滅菌室から直接取り出すことができるように構成されている。また、滅菌器１１２は、１台ではなく、複数種類の滅菌器が複数設置されており、過酸化水素ガスを滅菌ガスとして用いる種類の滅菌器や、水の高圧蒸気を滅菌ガスとして用いる種類の滅菌器、ホルマリンを滅菌ガスとして用いる滅菌器などがある。
【００２４】
既滅菌エリアでは、作業者（ユーザ）が、滅菌器１１２の滅菌室で滅菌された器材セットを、滅菌室から直接取り出して保管するエリアである。そのため、既滅菌エリアにおける工程を保管工程という。
【００２５】
既滅菌エリアには、読取装置１１４と、クライアント端末１１３とを備え、クライアント端末１１３は、読取装置１１４と通信可能に接続されている。
【００２６】
払出エリアは、作業者（ユーザ）が、保管された器材セットを手術室／手術準備室に払い出すエリアである。そのため、払出エリアにおける工程を払出工程という。
【００２７】
払出エリアには、読取装置１１７と、撮像装置１１８と、クライアント端末１１６とが設置されており、クライアント端末１１６は、読取装置１１７と撮像装置１１８と通信可能に接続されている。
【００２８】
手術室／手術準備室では、作業者（ユーザ）が、払い出された器材セットを包装している包装材を開封して器材セットを確認して、当該器材セットを手術で用いる。そのため、手術室／手術準備室における工程を開封工程・手術工程という。
【００２９】
手術室／手術準備室には、読取装置１２０と、撮像装置１２１と、クライアント端末１１９とが設置されており、クライアント端末１１９は、読取装置１２０と撮像装置１２１と通信可能に接続されている。
【００３０】
手術室／手術準備室で使用された器材セットは、中央材料室に回収される。
【００３１】
各クライアント端末（１０２、１０６、１０９、１１３、１１６、１１９）、滅菌器１１２、洗浄機１０５は、サーバ１０１と相互に通信可能に接続されており、サーバ１０１と手術管理システム１２２は、相互に通信可能に接続されている。各クライアント端末（１０２、１０６、１０９、１１３、１１６、１１９）は、サーバ１０１の入出力の端末（表示端末、入力端末）として機能する。
【００３２】
器材、又は器材セットの被滅菌物の管理手順（流れ）としては、回収工程、洗浄工程、組立・包装工程、滅菌工程、保管工程、払出工程、開封工程・手術工程の順番である。すなわち、この順番で、以下の図３〜９に示す処理が実行される。
＜図２＞
図２は、図１に示すサーバ１０１、手術管理システム１２２、クライアント端末１０２、１０６、１０９、１１３、１１６、１１９に適用可能な情報処理装置のハードウェア構成の一例を示すブロック図である。
【００３３】
図２に示すように、情報処理装置は、システムバス２０４を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０３、ＲＡＭ（Ｒａｎｄｏｍ  Ａｃｃｅｓｓ  Ｍｅｍｏｒｙ）２０２、入力コントローラ２０５、ビデオコントローラ２０６、メモリコントローラ２０７、および通信Ｉ／Ｆコントローラ２０８が接続される。
【００３４】
ＣＰＵ２０１は、システムバス２０４に接続される各デバイスやコントローラを統括的に制御する。
【００３５】
ＲＯＭ２０３あるいは外部メモリ２１１等の記憶装置は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００３６】
ＲＡＭ２０２は、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードし、ロードしたプログラムを実行することで各種動作を実現する。
【００３７】
入力コントローラ２０５は、入力装置２０９（入力デバイス）からの入力を制御する。入力装置２０９としては、キーボード、タッチパネル、マウス等のポインティングデバイス等が挙げられる。
【００３８】
なお、入力装置２０９がタッチパネルの場合、ユーザがタッチパネルに表示されたアイコンやカーソルやボタンに合わせて押下（指等でタッチ）することにより、各種の指示を行うことができることとする。
【００３９】
また、タッチパネルは、マルチタッチスクリーンなどの、複数の指でタッチされた位置を検出することが可能なタッチパネルであってもよい。
【００４０】
ビデオコントローラ２０６は、ディスプレイ装置２１０などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作により受け付け可能な装置については、入力装置２０９を提供する。
【００４１】
なお、ビデオコントローラ２０６は、表示制御を行うためのビデオメモリ（ＶＲＡＭ）を制御することが可能で、ビデオメモリ領域としてＲＡＭ２０２の一部を利用することもできるし、別途専用のビデオメモリを設けることも可能である。
【００４２】
メモリコントローラ２０７は、外部メモリ２１１へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）などのメモリ等を利用可能である。
【００４３】
通信Ｉ／Ｆコントローラ２０８は、ネットワークを介して外部機器と接続・通信するものであり、ネットワークでの通信制御処理を実行する。例えば、ＴＣＰ／ＩＰを用いた通信、Ｗｉ−Ｆｉ、および３Ｇ回線、ＬＴＥ回線を用いた通信が可能である。
【００４４】
なお、外部メモリ２１１等の記憶装置は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００４５】
また本実施形態における通信端末で行われる各種処理時の一時的なメモリエリアとしても利用可能である。
【００４６】
尚、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
＜図３＞
次に、図３に示すフローチャートを用いて、組立・包装工程において、サーバ１０１が実行する処理について説明する。
【００４７】
図３は、組立・包装工程において、サーバ１０１が実行する処理の一例を示すフローチャートである。
【００４８】
図３に示す各ステップの処理は、サーバ１０１のＣＰＵが、外部メモリ等の記憶手段に格納されたプログラムをＲＡＭにロードして実行することにより実現される。
【００４９】
まず、洗浄工程において、ユーザが、洗浄機１０５で洗浄された器材セットの各器材を構成する各アイテムを洗浄機１０５から取り出す。
【００５０】
サーバ１０１は、クライアント端末１０６に器材セット選択画面（図１１）を表示する。
【００５１】
図１１は、器材セット選択画面１１０１の一例を示す図である。
【００５２】
器材セット選択画面１１０１は、診療科目を選択するプルダウン１１０２と、プルダウン１１０２で選択された診療科目で用いられる器材セット名、当該機材セットの種類（モデル）、当該機材セットを構成する器材の数を表示する表示欄１１０３とを表示する画面である。
【００５３】
サーバ１０１は、器材セット選択画面１１０１を介してユーザにより選択された診療科目をクライアント端末１０６から受け付けると、当該選択された診療科目に対応して器材セット情報１５０１に記憶されている器材セット名、器材セットの種類（モデル）、及び器材数を取得して、当該取得した情報をクライアント端末１０６の器材セット選択画面１１０１の表示欄１１０３に表示する。
【００５４】
そして、ユーザは、表示欄１１０３に表示された器材セット名、器材セットの種類（モデル）、及び器材数のレコードを選択する。
【００５５】
サーバ１０１は、表示欄１１０３を介してユーザにより選択された器材セット名、器材セットの種類（モデル）、及び器材数をクライアント端末１０６から受け付けると、当該受け付けた器材セット名、器材セットの種類（モデル）、及び器材数に対応して記憶された器材セット情報１５０１のレコードを特定する（Ｓ３０１）。Ｓ３０１は、被滅菌物の種類を受け付ける受付手段の適用亭である。
【００５６】
ここで、図１５に示す器材セット情報１５０１に示すデータテーブルについて説明する。
【００５７】
図１５に示す器材セット情報１５０１は、サーバ１０１の外部メモリ等の記憶手段に記憶されているデータテーブルである。
【００５８】
器材セット情報１５０１には、「診療科目」、「機材セット名」、「機材セットの種類（モデル）」、「機材数」、「組立方法」、「包装内の置き方」、「メンテナンス方法」、「器材ごとの形状」、「滅菌方法」、「滅菌器」、「インジケーターの種類」の項目を含み、これらの項目が関連付けられて記憶されている。この「診療科目」には、診療科目を示すデータが記憶されており、「機材セット名」には、機材セット名のデータが記憶されている。また、「機材セットの種類（モデル）」には、当該機材セットの種類（モデル）を示すデータが記憶されている。「機材数」には、当該器材セットを構成する器材の数が記憶されている。また、「組立方法」には、当該器材を構成するアイテムを組み立てて当該器材を作る組立方法を示すデータが記憶されており、「包装内の置き方」には、当該組み立てた器材を包装内に置く位置や置き方を示すデータが記憶されている。
【００５９】
また、「メンテナンス方法」には、機材セットのメンテナンス方法を示すデータが記憶されており、「器材ごとの形状」には、器材ごとの形状を示すデータ（形状情報）が記憶されている。すなわち、「器材ごとの形状」には、器材セットを構成する器材ごとに形状情報が記憶されている。また、「滅菌方法」には、当該器材セットの滅菌に適した滅菌方法として、過酸化水素ガスによる滅菌方法や高圧蒸気滅菌による滅菌方法などの滅菌方法が記憶されている。「滅菌器」には、当該滅菌方法により滅菌する滅菌器の機種や種類を示すデータが記憶されている。また、「インジケーターの種類」には、当該滅菌方法、及び当該滅菌器に用いるインジケーターの種類を示すデータが記憶されている。
【００６０】
次に、読取装置１０７は、これから滅菌に使用する未使用のケミカルインジケーター１２０５の包装内部用シート１３０１の変色部１２０１と包装内部用の識別情報部１２０２とを撮影する。ここで撮影する対象のケミカルインジケーター１２０５は、包装材１４０１の内部に入れる包装内部用シート１３０１と、包装材１４０１の外部に貼り付ける包装外部用シート１３０２とで構成されるケミカルインジケーター１２０５である。そして、読取装置１０７は、撮影された画像をクライアント端末１０６に送信する。クライアント端末１０６は、当該画像を取得すると、当該画像をサーバ１０１に送信する。サーバ１０１は、当該画像を取得すると、当該画像の変色部の色の色値（色彩値）と、識別情報部１２０２に記録された識別情報（滅菌に関するインジケーターに記録された識別情報）とを読み取り取得する（Ｓ３０２）。Ｓ３０２は、滅菌に関するインジケーターに記録された識別情報を読み取る読取手段の適用例である。
【００６１】
図１２は、ケミカルインジケーター１２０５の一例を示す図である。
【００６２】
ここで、図１２を用いて、ケミカルインジケーター１２０５の構成について説明する。
【００６３】
ケミカルインジケーター１２０５は、包装内部用シート１３０１と、包装外部用シート１３０２との間に切り目１２０３が入っており、１枚のシートとして形成されている。この切れ目１２０３があることで、ユーザは、切れ目１２０３で切り取り、包装内部用シート１３０１と、包装外部用シート１３０２とを分け易くなる。
【００６４】
包装内部用シート１３０１は、その表面に、機材セット等の被滅菌物を滅菌するための滅菌ガスにより変色する変色部１２０１と、識別情報部１２０２とを備えたシートであって、当該被滅菌物を包装する包装材（滅菌コンテナ等であり単にコンテナとも言う）の内部に配置されるシートである。変色部１２０１は、被滅菌物を滅菌するための滅菌ガスが接触することにより変色する。
【００６５】
また、包装外部用シート１３０２は、その表面に識別情報部１２４を備えたシートであって、当該被滅菌物を包装する包装材の外部に配置されるシートである。ここで、外部とは、滅菌器の滅菌室の中ではあるものの包装材の外部の位置を意味する。例えば、包装外部用シート１３０２の裏面は、接着剤が塗布された接着部１２０７を備えているため、例えば、包装材の外面に貼り付けることができる。これにより、包装材から包装外部用シート１３０２が取れ難くなり、包装材と包装外部用シート１３０２との対応関係が間違い難くなる。
【００６６】
また、識別情報部１２０２に記録された識別情報と、識別情報部１２０４に記録された識別情報は、同一の情報である。
【００６７】
また、包装内部用シート１３０１の裏面は、図１５に示す通り、接着部を備えていない非接着部１２０６である。これにより、包装材の内部の包装内部用シート１３０１の裏面側も滅菌器で滅菌し易くなる。
【００６８】
図１５の例では、包装内部用シート１３０１の裏面は、非接着部１２０６であるが、１２０６に接着部を設けるようにしてもよい。
【００６９】
ユーザは、ケミカルインジケーター１２０５を、図１３に示すように、切れ目１２０３で切り取り、包装内部用シート１３０１と、包装外部用シート１３０２とに分ける。
【００７０】
図１３（Ａ）は、切れ目１２０３で切る前のケミカルインジケーター１２０５の一例であり、図１３（Ｂ）は、切れ目１２０３で切った後のケミカルインジケーター１２０５の一例である。
【００７１】
そして、ユーザは、図１４に示すように、切れ目１２０３で切った後の包装内部用シート１３０１を、機材セット（例えば、器材Ａ、器材Ｂ、器材Ｃのセット）と共に包装材１４０１の中に入れて、包装材１４０１の外面に包装外部用シート１３０２を貼り付ける。
【００７２】
図１４（Ａ）は、包装材１４０１に、機材セットと包装内部用シート１３０１を入れた図の一例である。また、図１４（Ｂ）は、機材セットと包装内部用シート１３０１を入れた包装材１４０１に蓋をして、その蓋に包装外部用シート１３０２を貼り付けた図の一例である。
【００７３】
図３の説明に戻る。
【００７４】
サーバ１０１は、Ｓ３０２で取得した変色部の色値（色彩値）が、未使用の変色部１２０１の初期色の色値（規定値（所定値））であるか否かを判定することにより、変色部１２０１の初期色が規定値を満たしているか否かを判定する（Ｓ３０３）。
【００７５】
サーバ１０１は、Ｓ３０２で取得した変色部の色値（色彩値）が、未使用の変色部１２０１の初期色の色値（規定値（所定値））である（変色部の初期色が規定値を満たしている）と判定された場合には（Ｓ３０３：ＹＥＳ）、処理をＳ３０５に移行し、一方、Ｓ３０２で取得した変色部の色値（色彩値）が、未使用の変色部１２０１の初期色の色値（規定値（所定値））ではない（変色部の初期色が規定値を満たしていない）と判定された場合には（Ｓ３０３：ＮＯ）、処理をＳ３０４に移行する。
【００７６】
サーバ１０１は、Ｓ３０４において、変色部の初期色が規定値を満たしていないことを示すアラートをクライアント端末１０６に出力する。具体的には、サーバ１０１は、変色部の初期色が規定値を満たしていない旨の表示を、クライアント端末１０６に表示させる（Ｓ３０４）。図１６に示すアラート画面０（１６００）は、Ｓ３０４でクライアント端末１０６に表示されるアラート画面の一例である。そして、処理をＳ３０２に戻す。Ｓ３０４は、初期色出力手段の適用例であり、Ｓ３０２で読み取られた色値が、変色部の初期色に関する規定値ではない場合に、アラートを出力する。
【００７７】
サーバ１０１は、Ｓ３０５において、Ｓ３０２により識別情報が読み取られたケミカルインジケーターが、Ｓ３０１で選択された器材セットに対応する滅菌方法のインジケーターであるか否かを判定する。Ｓ３０５は、判定手段の適用例であり、Ｓ３０２で読み取られた識別情報により識別されるインジケーターが、Ｓ３０１で受け付けた被滅菌物の種類に対応する滅菌方法のインジケーターであるかを判定する。
【００７８】
具体的には、サーバ１０１は、Ｓ３０２で読み取られた識別情報により識別されるインジケーターを使用できる滅菌方法、滅菌器、又は当該インジケーターのインジケーターの種類を特定する。
【００７９】
例えば、サーバ１０１は、Ｓ３０２で読み取られた識別情報の一部（例えば、識別情報の先頭の２桁の数字）が、図１５のインジケーター情報１５０２に対応して記憶されているレコードを特定する。これにより、Ｓ３０２で読み取られた識別情報により識別されるインジケーターを使用できる滅菌方法、滅菌器、又は当該インジケーターのインジケーターの種類を特定する。
【００８０】
図１５のインジケーター情報１５０２は、「識別情報部の識別情報の一部」、「滅菌方法」、「滅菌器」、「インジケーターの種類」の項目を含んでいる。
【００８１】
「識別情報部の識別情報の一部」には、識別情報の一部の情報（例えば、識別情報の先頭の２桁の数字）が記憶されている。この識別情報の一部の情報は、インジケーターを使用できる滅菌方法、滅菌器、又は当該インジケーターのインジケーターの種類を識別する情報である。また、「滅菌方法」には、当該識別情報により識別されるインジケーターを使用できる滅菌方法を示すデータが記憶されている。また、「滅菌器」には、当該識別情報により識別されるインジケーターを使用できる滅菌器を示すデータが記憶されている。また、「インジケーターの種類」には、当該識別情報により識別されるインジケーターを使用できるインジケーターの種類を示すデータが記憶されている。図１５のインジケーター情報１５０２は、サーバ１０１の外部メモリ２１１等の記憶手段に記憶されている。
【００８２】
次に、サーバ１０１は、Ｓ３０１で選択された器材セット名、及び器材セットの種類（モデル）に対応して、図１５の器材セット情報１５０１に記憶されている滅菌方法、滅菌器、インジケーターの種類を特定する。
【００８３】
そして、サーバ１０１は、Ｓ３０２で読み取られた識別情報の一部（例えば、識別情報の先頭の２桁の数字）から特定されたインジケーターの種類と、Ｓ３０１で選択された器材セット名、及び器材セットの種類（モデル）から特定されたインジケーターの種類とが同一か否かを判定することにより、Ｓ３０２により識別情報が読み取られたケミカルインジケーターが、Ｓ３０１で選択された器材セットに対応する滅菌方法のインジケーターか否かを判定する。
【００８４】
また、例えば、器材セット情報１５０１に「滅菌器」、及び「インジケーターの種類」の項目自体が無い場合には、サーバ１０１は、Ｓ３０１で選択された器材セット名、及び器材セットの種類（モデル）に対応して、図１５の器材セット情報１５０１に記憶されている滅菌方法を特定し、当該滅菌方法に対応してインジケーター情報１５０２に記憶されているインジケーターの種類を特定する。また、サーバ１０１は、Ｓ３０２で読み取られた識別情報の一部が、インジケーター情報１５０２に対応して記憶されているインジケーターの種類を特定する。そして、サーバ１０１は、これらのインジケーターの種類が一致しているか否かを判定することにより、Ｓ３０２により識別情報が読み取られたケミカルインジケーターが、Ｓ３０１で選択された器材セットに対応する滅菌方法のインジケーターか否かを判定する。
【００８５】
サーバ１０１は、Ｓ３０２により識別情報が読み取られたケミカルインジケーターが、Ｓ３０１で選択された器材セットに対応する滅菌方法のインジケーターであると判定された場合には（Ｓ３０５：ＹＥＳ）、処理をＳ３０６に移行し、一方、Ｓ３０５において、Ｓ３０２により識別情報が読み取られたケミカルインジケーターが、Ｓ３０１で選択された器材セットに対応する滅菌方法のインジケーターではないと判定された場合には、処理をＳ３０７に移行する。
【００８６】
サーバ１０１は、Ｓ３０７において、Ｓ３０２により識別情報が読み取られたケミカルインジケーターが、Ｓ３０１で選択された器材セットに対応する滅菌方法のインジケーターではないことを示すアラートをクライアント端末１０６に出力する。具体的には、サーバ１０１は、図１６に示すアラート画面１（１６０１）をクライアント端末１０６に表示させる（Ｓ３０７）。そして、処理をＳ３０２に戻す。
【００８７】
Ｓ３０７は、出力手段の適用例であり、Ｓ３０２で読み取られた識別情報により識別されるインジケーターが、Ｓ３０１で受け付けた被滅菌物の種類に対応する滅菌方法のインジケーターではない場合に（Ｓ３０５：ＮＯ）、アラートを出力する。
【００８８】
サーバ１０１は、Ｓ３０６において、Ｓ３０２で読み取った識別情報と機材セットの情報との関連付処理を行う。
【００８９】
具体的には、サーバ１０１は、Ｓ３０１で特定された器材セット情報１５０１のレコードに含まれる「診療科目」、「器材セット名」、「器材セットの種類（モデル）」、「器材ごとの形状」、「滅菌方法」、「滅菌器」、「インジケーターの種類」のデータを機材セットの情報として取得して、図１５に示す滅菌管理テーブル１５０４のレコードに格納する。そして、サーバ１０１は、Ｓ３０２で読み取られた識別情報を、当該レコードの「包装用のインジケーターの識別情報部の識別情報」に格納する。
【００９０】
次に、読取装置１０７が、これから滅菌に使用する未使用のケミカルインジケーター１２０５の包装内部用シート１３０１の変色部１２０１と包装内部用の識別情報部１２０２とを撮影する。ここで撮影する対象のケミカルインジケーター１２０５は、滅菌器の滅菌室内のコールドスポットに配置するケミカルインジケーターであり、例えば、ＰＣＤ（ｐｒｏｃｅｓｓ  ｃｈａｌｌｅｎｇｅ  ｄｅｖｉｃｅ）に使用されるケミカルインジケーターである。（包装材１４０１の内部に入れたり、包装材１４０１の外部に貼り付けるものではない。）
そして、読取装置１０７は、撮影された画像をクライアント端末１０６に送信する。クライアント端末１０６は、当該画像を取得すると、当該画像をサーバ１０１に送信する。サーバ１０１は、当該画像を取得すると、当該画像の変色部の色値（色彩値）と、識別情報部１２０２に記録された識別情報とを読み取り取得する（Ｓ３０８）。
【００９１】
そして、サーバ１０１は、Ｓ３０３と同様に、３０８で取得した変色部の色値（色彩値）が、未使用の変色部１２０１の初期色の色値（規定値（所定値））であるか否かを判定することにより、変色部１２０１の初期色が規定値を満たしているか否かを判定する（Ｓ３０９）。
【００９２】
サーバ１０１は、Ｓ３０８で取得した変色部の色値（色彩値）が、未使用の変色部１２０１の初期色の色値（規定値（所定値））である（変色部の初期色が規定値を満たしている）と判定された場合には（Ｓ３０９：ＹＥＳ）、処理をＳ３１１に移行し、一方、Ｓ３０８で取得した変色部の色値（色彩値）が、未使用の変色部１２０１の初期色の色値（規定値（所定値））ではない（変色部の初期色が規定値を満たしていない）と判定された場合には（Ｓ３０９：ＮＯ）、処理をＳ３１０に移行する。
【００９３】
サーバ１０１は、Ｓ３１０において、変色部の初期色が規定値を満たしていないことを示すアラートをクライアント端末１０６に出力する。具体的には、サーバ１０１は、変色部の初期色が規定値を満たしていない旨の表示を、クライアント端末１０６に表示させる（Ｓ３１０）。図１６に示すアラート画面０（１６００）は、Ｓ３１０でクライアント端末１０６に表示されるアラート画面の一例である。そして、処理をＳ３０８に戻す。
【００９４】
サーバ１０１は、Ｓ３１１において、Ｓ３０８により識別情報が読み取られたケミカルインジケーターが、Ｓ３０１で選択された器材セットに対応する滅菌方法のインジケーターであるか否かを判定する。具体的な判定方法は、Ｓ３０５と同様であるため、ここでは説明を省略する。
【００９５】
サーバ１０１は、Ｓ３０８により識別情報が読み取られたケミカルインジケーターが、Ｓ３０１で選択された器材セットに対応する滅菌方法のインジケーターであると判定された場合には（Ｓ３１１：ＹＥＳ）、処理をＳ３１３に移行し、一方、Ｓ３０８により識別情報が読み取られたケミカルインジケーターが、Ｓ３０１で選択された器材セットに対応する滅菌方法のインジケーターではないと判定された場合には、処理をＳ３１２に移行する。
【００９６】
サーバ１０１は、Ｓ３１２において、Ｓ３０８により識別情報が読み取られたケミカルインジケーターが、Ｓ３０１で選択された器材セットに対応する滅菌方法のインジケーターではないことを示すアラートをクライアント端末１０６に出力する。具体的には、サーバ１０１は、図１６に示すアラート画面１（１６０１）をクライアント端末１０６に表示させる（Ｓ３１２）。そして、処理をＳ３０８に戻す。
【００９７】
サーバ１０１は、Ｓ３１３において、Ｓ３０８で読み取ったコールドスポット用のケミカルインジケーターの識別情報と機材セットの情報との関連付処理を行う。
【００９８】
具体的には、サーバ１０１は、Ｓ３０８で読み取ったコールドスポット用のケミカルインジケーターの識別情報を、Ｓ３０６で関連付処理を行ったレコードの「コールドスポット用のインジケーターの識別情報部の識別情報」に格納することにより、Ｓ３０８で読み取った識別情報と機材セットの情報との関連付処理を行う。
【００９９】
次に、サーバ１０１は、Ｓ３０１で特定されたレコードの「組立方法」、「包装内の置き方」、「メンテナンス方法」の各データを取得する。そして、サーバ１０１は、当該データに基づいて、Ｓ３０１で受け付けた器材セットの種類（モデル）の当該器材セットの各器材を構成するアイテムを組み立てる組立方法を示すデータ、当該組み立てた器材を包装内に置く位置や置き方を示すデータ、及び当該機材セットのメンテナンス方法を示すデータを含む画面（１６０２）をクライアント端末１０６に表示させる（Ｓ３１４）。
【０１００】
図１６の１６０２の画面は、Ｓ３１４でクライアント端末１０６に表示させる画面の一例である。
【０１０１】
そして、ユーザは、Ｓ３１４で表示された画面を参照して、各アイテムを組み合わせて器材を組み立てて、各器材を滅菌コンテナ等の包装材に配置する。
【０１０２】
そして、撮像装置１０８は、包装材の蓋をする前の、各器材が配置された滅菌コンテナを上部から撮影することにより、滅菌コンテナに配置された各器材（器材セット）を撮影する。撮像装置１０８は、撮影された画像をクライアント端末１０６に送信して、クライアント端末１０６は、当該画像をサーバ１０１に送信する。そして、サーバ１０１は、当該画像をクライアント端末１０６から取得する（Ｓ３１５）。
【０１０３】
サーバ１０１は、Ｓ３１５で取得した画像を解析して、当該画像に含まれる各器材の器材セットの種類（モデル）、及び当該画像に含まれる器材の器材数を特定する（Ｓ３１６）。
【０１０４】
具体的には、サーバ１０１は、Ｓ３１５で取得した画像の中から、図１５に示す器材セット情報１５０１の「器材ごとの形状」に記憶されているデータ（形状情報）に対応（一致）する器材を特定し、当該特定された器材の数（機材数）を特定する。そして、サーバ１０１は、当該特定された器材の機材セットの種類（モデル）を特定する。例えば、サーバ１０１は、図１５に示す器材セット情報１５０１の「器材ごとの形状」に、器材セットを構成する器材ごとに形状情報が記憶されているため、当該特定された器材の「器材ごとの形状」のレコードの「器材セットの種類（モデル）」を特定することで、当該特定された器材の機材セットの種類（モデル）を特定することができる。
【０１０５】
そして、サーバ１０１は、Ｓ３０１で選択を受け付けた器材セットの種類、及び器材数と、Ｓ３１６で特定された器材セットの種類（モデル）、及び器材数とが一致しているか否かを判定する（Ｓ３１７）。
【０１０６】
具体的には、サーバ１０１は、Ｓ３１６で特定された器材数が、Ｓ３０１で特定されたレコードの「器材数」に記憶された器材数と一致し、かつ、Ｓ３１６で特定された器材セットの種類（モデル）が、Ｓ３０１で特定されたレコードの「器材セットの種類」（モデル）に記憶されたデータと一致するか否かを判定する。
【０１０７】
サーバ１０１は、Ｓ３１７で一致していないと判定された場合には（ＮＯ）、器材の種類、及び／又は器材数が異なる旨のアラートをクライアント端末１０６に出力する（Ｓ３１９）。
【０１０８】
具体的には、サーバ１０１は、図１６に示すアラート画面２（１６０３）をクライアント端末１０６に表示させる。アラート画面２（１６０３）の例では、Ｓ３０１で選択された器材セットの種類（モデル）、及び／又は機材数が異なる旨を表示しているが、包装材に配置した器材が、Ｓ３０１で選択された器材セットの種類（モデル）の器材と異なる旨を表示することもできる。
【０１０９】
そして、サーバ１０１は、Ｓ３１９の処理を実行すると、処理をＳ３０１に戻す。
【０１１０】
サーバ１０１は、Ｓ３１７で一致していると判定された場合には（ＹＥＳ）、Ｓ３１７で一致していると判定された旨（判定結果）をクライアント端末１０６に出力（表示）して、処理をＳ３０１に戻す。
【０１１１】
そして、ユーザは、滅菌コンテナ等の包装材に、切り目１２０３で切り取った包装内部用シート１３０１を入れて、包装材の蓋をしめて、当該包装材の外面に包装外部用シート１３０２を貼り付ける。そして、組み立てられた器材セットを包装済みの被滅菌物として保管する。
＜図４＞
次に、図４に示すフローチャートを用いて、滅菌工程において、サーバ１０１が実行する処理について説明する。
【０１１２】
図４は、滅菌工程において、サーバ１０１が実行する処理の一例を示すフローチャートである。
【０１１３】
図４に示す各ステップの処理は、サーバ１０１のＣＰＵが、外部メモリ等の記憶手段に格納されたプログラムをＲＡＭにロードして実行することにより実現される。
【０１１４】
滅菌工程では、組立エリアで保管された包装済みの被滅菌物（器材セット）を滅菌器で滅菌する場合に、当該器材セットに対応していない滅菌方法の滅菌器で滅菌することを防止するための処理を実行する。
【０１１５】
まず、読取装置１１０は、器材セットが包装された包装材の外面に貼り付けられた包装外部用シート１３０２を撮影して、包装外部用シート１３０２の識別情報部１２０４を含む画像を取得して、クライアント端末１０９に送信する。クライアント端末１０９は、当該画像を取得すると、当該画像をサーバ１０１に送信して、サーバ１０１は、当該画像を取得する。
【０１１６】
サーバ１０１は、当該画像に含まれる識別情報部１２０４から識別情報を読み取る。そして、サーバ１０１は、当該読み取られた識別情報から、当該器材セットの滅菌、及び当該識別情報のケミカルインジケーターの使用ができる滅菌方法、及び／又は滅菌器を特定する。
【０１１７】
具体的には、サーバ１０１は、当該読み取られた識別情報の一部（例えば、識別情報の先頭の２桁の数字）が、図１５のインジケーター情報１５０２に対応して記憶されているレコードを特定する。これにより、当該器材セットの滅菌、及び当該識別情報のケミカルインジケーターの使用ができる滅菌方法、及び／又は滅菌器の種類を特定する（Ｓ４０１）。
【０１１８】
次に、ユーザは、当該器材セットの滅菌に使用しようとする滅菌器１１２に付された、又は表示された滅菌器の識別情報を読み取るために読取装置１１０を操作する。ここで言う識別情報は、当該滅菌器の滅菌方法、及び／又は滅菌器の種類を識別する識別情報である。
【０１１９】
読取装置１１０は、ユーザの操作に従い、滅菌器１１２に付された、又は表示された識別情報が記録された二次元コードや一次元コードなどの識別情報部を撮影して、当該識別情報部を含む画像を取得して、クライアント端末１０９に送信する。
【０１２０】
クライアント端末１０９は、当該画像を取得すると、サーバ１０１に送信して、サーバ１０１は、当該画像を取得する。サーバ１０１は、当該画像に含まれる識別情報部から滅菌器１１２の識別情報を読み取り取得する（Ｓ４０２）。
【０１２１】
そして、サーバ１０１は、Ｓ４０２で取得した識別情報により識別される滅菌方法が、Ｓ４０１で特定された滅菌方法であるか否かを判定する（Ｓ４０３）。これにより、Ｓ４０２で取得した識別情報が付された、又は表示された滅菌器が、Ｓ４０１で特定された滅菌方法の滅菌器であるか否かを判定することができる。
【０１２２】
Ｓ４０３では、サーバ１０１は、Ｓ４０２で取得した識別情報により識別される滅菌器の種類が、Ｓ４０１で特定された滅菌器の種類であるか否かを判定することもできる。すなわち、Ｓ４０２で取得した識別情報が付された、又は表示された滅菌器が、Ｓ４０１で特定された種類の滅菌方法であるか否かを判定することもできる。
【０１２３】
具体的には、サーバ１０１は、Ｓ４０２で取得した識別情報に対応して、図１５に示す滅菌器情報１５０３に記憶された滅菌方法、滅菌器（滅菌器の種類）を特定する。これにより、Ｓ４０２で取得した識別情報により識別される滅菌方法、滅菌器（滅菌器の種類）を特定することができる。
【０１２４】
図１５に示す滅菌器情報１５０３は、「滅菌器の識別情報」、「滅菌方法」、「滅菌器」、「インジケーターの種類」の項目で構成されるデータテーブルである。
【０１２５】
「滅菌器の識別情報」には、滅菌器の滅菌方法、滅菌器（滅菌器の種類）を識別するための識別情報のデータが記憶されており、「滅菌方法」には、当該識別情報により識別される滅菌器の滅菌方法を示すデータが記憶されており、「滅菌器」には、当該識別情報により識別される滅菌器の種類が記憶されている。また、「インジケーターの種類」には、当該識別情報により識別される滅菌方法、及び滅菌器の種類で使用可能なインジケーターの種類を示すデータが記憶されている。
【０１２６】
Ｓ４０３において、サーバ１０１は、Ｓ４０２で取得した識別情報から、滅菌器情報１５０３を参照して特定された滅菌方法が、Ｓ４０１で特定された滅菌方法であるか否かを判定する。このようにして、Ｓ４０２で取得した識別情報が付された、又は表示された滅菌器が、Ｓ４０１で特定された滅菌方法の滅菌器であるか否かを判定する。
【０１２７】
または、Ｓ４０２で取得した識別情報から、滅菌器情報１５０３を参照して特定された滅菌器の種類が、Ｓ４０１で特定された滅菌器の種類であるか否かを判定する。これにより、Ｓ４０２で取得した識別情報が付された、又は表示された滅菌器が、Ｓ４０１で特定された種類の滅菌方法であるか否かを判定する。
【０１２８】
そして、サーバ１０１は、Ｓ４０２で取得した識別情報から、滅菌器情報１５０３を参照して特定された滅菌方法が、Ｓ４０１で特定された滅菌方法である（Ｓ４０２で取得した識別情報が付された、又は表示された滅菌器が、Ｓ４０１で特定された滅菌方法の滅菌器である）と判定された場合（Ｓ４０３：ＹＥＳ）、または、Ｓ４０２で取得した識別情報から、滅菌器情報１５０３を参照して特定された滅菌器の種類が、Ｓ４０１で特定された滅菌器の種類である（Ｓ４０２で取得した識別情報が付された、又は表示された滅菌器が、Ｓ４０１で特定された種類の滅菌方法である）と判定された場合には（Ｓ４０３：ＹＥＳ）、包装済みの被滅菌物（器材セット）に対応する滅菌方法の滅菌器である旨をクライアント端末１０９に表示（出力）して、処理をＳ４０１に戻す。
【０１２９】
また、サーバ１０１は、Ｓ４０２で取得した識別情報から、滅菌器情報１５０３を参照して特定された滅菌方法が、Ｓ４０１で特定された滅菌方法ではない（Ｓ４０２で取得した識別情報が付された、又は表示された滅菌器が、Ｓ４０１で特定された滅菌方法の滅菌器ではない）と判定された場合（Ｓ４０３：ＮＯ）、または、Ｓ４０２で取得した識別情報から、滅菌器情報１５０３を参照して特定された滅菌器の種類が、Ｓ４０１で特定された滅菌器の種類ではない（Ｓ４０２で取得した識別情報が付された、又は表示された滅菌器が、Ｓ４０１で特定された種類の滅菌方法ではない）と判定された場合には（Ｓ４０３：ＮＯ）、包装済みの被滅菌物（器材セット）に対応する滅菌方法の滅菌器ではない旨のアラート画面（例えば、図１６のアラート画面３（１６０４））をクライアント端末１０９に表示（出力）して（Ｓ４０４）、処理をＳ４０２に戻す。これにより、器材セットに対応していない滅菌方法の滅菌器で滅菌することを防止することができる。
【０１３０】
図１６の１６０４のアラート画面３は、Ｓ４０４で出力されるアラート画面の一例である。
【０１３１】
また、アラート画面３（１６０４）には、Ｓ４０１で特定された滅菌方法、滅菌器の種類を、「包装材内の器材セットに対応する滅菌方法、及び滅菌器は、滅菌方法Ａ、滅菌器Ａになります。」のメッセージとして含めているため、適切な滅菌方法、及び滅菌器に、包装済みの器材セットを入れて滅菌することが出来る。
【０１３２】
Ｓ４０３でＹＥＳと判定され、包装済みの被滅菌物（器材セット）に対応する滅菌方法の滅菌器である旨をクライアント端末１０９に表示（出力）すると、ユーザは、包装済みの被滅菌物（器材セット）を滅菌器１１２の滅菌室に入れて、滅菌処理の開始指示を滅菌器１１２に対して行う。
＜図５＞
次に、図５に示すフローチャートを用いて、保管工程において、サーバ１０１が実行する処理について説明する。
【０１３３】
図５は、保管工程において、サーバ１０１が実行する処理の一例を示すフローチャートである。
【０１３４】
図５に示す各ステップの処理は、サーバ１０１のＣＰＵが、外部メモリ等の記憶手段に格納されたプログラムをＲＡＭにロードして実行することにより実現される。
【０１３５】
保管工程では、滅菌器１１２で滅菌処理が行われた包装済みの被滅菌物（器材セット）を、滅菌器１１２の滅菌室から取り出して、保管する工程である。
【０１３６】
まず、サーバ１０１は、所定の情報が取得（入力）できていない旨のアラート（例えば、図１６の１６０５に示すアラート画面４）をクライアント端末１１３に表示（出力）する（Ｓ５０１）。
【０１３７】
ここで、所定の情報とは、所定の条件を満たしたサイクルレポート（滅菌処理が適切に行われたことを示すサイクルレポート）、インジケーターの変色部の色値（色彩値）が、閾値を満たしていることを示す判定結果、及び、ＢＩ（バイオロジカルインジケーター）による滅菌の検査結果（判定結果や評価結果とも言う）である。
【０１３８】
図１６の１６０５に示すアラート画面４は、Ｓ５０１でクライアント端末１１３に表示されるアラート画面の一例である。
【０１３９】
そして、ユーザは、滅菌の際に滅菌器１１２の滅菌室内に設置していたコールドスポット用のケミカルインジケーター１２０５（使用済）を取り出して、読取装置１１４は、当該取り出されたケミカルインジケーター１２０５を撮影して、当該ケミカルインジケーターの識別情報部（識別情報部１２０２か識別情報部１２０４の何れかの識別情報部）と、変色部１２０１とを含む画像を取得する。
【０１４０】
そして、読取装置１１４は、撮影された画像をクライアント端末１１３に送信する。クライアント端末１１３は、現在のユーザ（作業者）の作業者名の入力を受け付け、当該画像を取得すると、当該画像と現在のユーザ（作業者）の作業者名をサーバ１０１に送信する。サーバ１０１は、当該画像と作業者名を取得すると、当該画像の変色部の色値（色彩値）と、識別情報部に記録された識別情報とを読み取り取得する（Ｓ５０２）。
【０１４１】
そして、サーバ１０１は、Ｓ５０２で取得した変色部の色値（色彩値）が、使用済の変色部１２０１の所定の色値（閾値）であるか否かを判定することにより、変色部１２０１の色値が閾値を満たしているか否かを判定する（Ｓ５０３）。すなわち、Ｓ５０３では、Ｓ５０２で取得した変色部の色値（色彩値）が、所定の色値であるか否かを判定することで、変色部の変色が良好であるか、変色不良であるかを判定する。
【０１４２】
サーバ１０１は、Ｓ５０２で取得した変色部の色値（色彩値）が、使用済の変色部１２０１の所定の色値（閾値）である（変色部の変色が良好である）と判定された場合には（Ｓ５０３：ＹＥＳ）、処理をＳ５０５に移行し、一方、Ｓ５０２で取得した変色部の色値（色彩値）が、使用済の変色部１２０１の所定の色値（閾値）ではない（変色部の変色が不良である）と判定された場合には（Ｓ５０３：ＮＯ）、処理をＳ５０４に移行する。
【０１４３】
サーバ１０１は、Ｓ５０４において、変色部の変色が不良であることを示すアラート（例えば、図１６に示すアラート画面６（１６０７））をクライアント端末１１３に表示（出力）する。
【０１４４】
これにより、ユーザは、コールドスポット用のケミカルインジケーターの変色部の変色不良を確認することができ、ユーザの目視により誤って、変色部の変色が良好と判断してしまうことを低減可能にすることができる。
【０１４５】
また、サーバ１０１は、Ｓ５０５において、滅菌器１１２が出力したサイクルレポートを入力する。入力方法としては、サイクルレポートを滅菌器１１２がサーバ１０１に送信してサーバ１０１に入力するか、ユーザが、サイクルレポートが記録された着脱可能な外部記録媒体を滅菌器１１２から取り出して、当該外部記録媒体をクライアント端末１１３に接続して、クライアント端末１１３がサイクルレポートをサーバ１０１に送信してサーバ１０１に入力する方法がある。
【０１４６】
ここで、サイクルレポートとは、滅菌器１１２が滅菌処理（滅菌の動作）を行った時間、処理内容（プロセス）、滅菌室内の気圧、当該プロセスを行った期間、滅菌室内の気温などの情報が時系列に記録されたレポートのことであり、その一例を図１７に示す。
【０１４７】
図１７は、サイクルレポートの一例を示す図である。
【０１４８】
図１７に示すサイクルレポートには、図１７に示す通り、滅菌処理を行った滅菌日、滅菌の動作モード、滅菌器の識別情報、使用した滅菌剤の有効期限、滅菌剤の製造番号も含む。
【０１４９】
サーバ１０１は、Ｓ５０５で入力されたサイクルレポートが、所定の条件を満たしているか否かを判定する（Ｓ５０６）。
【０１５０】
ここで、所定の条件とは、滅菌工程が正常に完了したかを判定するための条件である。所定の条件の一例を図１８に示す。図１８に示す所定の条件は、動作モードがソフトの場合は、「真空工程で２分以内で気圧が０．１５Ｔｏｒｒまで減圧されたか？」、「滅菌工程で６分間で気圧が７５Ｔｏｒｒ以上に達したか？」の条件を示している。
【０１５１】
サーバ１０１は、Ｓ５０５で入力されたサイクルレポートが、所定の条件を満たしている（滅菌工程が正常に完了した）と判定された場合には（Ｓ５０６：ＹＥＳ）、Ｓ５０８において、ＢＩ（バイオロジカルインジケーター）の検査結果と、ＢＩを確認したユーザの名前（確認者名）の入力をクライアント端末１１３から受け付ける。一方、Ｓ５０５で入力されたサイクルレポートが、所定の条件を満たしていない（滅菌工程が正常に完了しなかった）と判定された場合には、滅菌工程が正常に完了しなかった旨のアラートをクライアント端末１１３に出力（表示）し（Ｓ５０７）、処理をＳ５０１に戻す。
【０１５２】
図１６に示すアラート画面５（１６０６）は、Ｓ５０７でクライアント端末１１３に表示されるアラートの一例である。
【０１５３】
サーバ１０１は、Ｓ５０９において、所定の情報を全て取得できたか否かを判定し、全て取得できたと判定された場合には（ＹＥＳ）、Ｓ５０１で表示されたアラート（例えば、アラート画面４（１６０５））の表示を消して（Ｓ５１０）、処理をＳ５１１に移行する。また、サーバ１０１は、Ｓ５０９で所定の情報を全て取得できていないと判定された場合には（ＮＯ）、処理をＳ５０１に戻す。
【０１５４】
次に、サーバ１０１は、Ｓ５０２で取得した識別情報（コールドスポット用のケミカルインジケーターの識別情報部の識別情報）を含む、滅菌管理テーブル１５０４のレコードに、（１）Ｓ５０５で入力されたサイクルレポート、（２）Ｓ５０２で入力された画像（変色部の撮影結果）、（３）Ｓ５０２で入力された確認者名、（４）Ｓ５０３の判定処理の判定結果（検査結果）、（５）Ｓ５０８で入力されたＢＩの検査結果（６）Ｓ５０８でＢＩの検査結果を入力した確認者名（ユーザ名）（７）現在日付（検査日付／滅菌管理レポート作成日付）の各データを関連付けて記録する。
【０１５５】
このとき、既に、機材セットの情報が、滅菌管理テーブル１５０４のレコードに記憶されているため、機材セットの情報と、当該（１）〜当該（７）情報が関連付けられて記憶されることとなる。すなわち、（１）Ｓ５０５で入力されたサイクルレポートのデータは、滅菌管理テーブル１５０４の「サイクルレポート」に記憶され、（２）Ｓ５０２で入力された画像（変色部の撮影結果）のデータは、滅菌管理テーブル１５０４の「変色部の撮影結果」に記憶され、（３）Ｓ５０２で入力された確認者名のデータは、滅菌管理テーブル１５０４の「インジケータＡ（ＣＩ）の確認者（作業者名）」に記憶され、（４）Ｓ５０３の判定処理の判定結果（検査結果）のデータは、滅菌管理テーブル１５０４の「インジケータＡ（ＣＩ）の検査結果」に記憶され、（５）Ｓ５０８で入力されたＢＩの検査結果のデータは、滅菌管理テーブル１５０４の「インジケータ（ＢＩ）の検査結果」に記憶され、（６）Ｓ５０８でＢＩの検査結果を入力した確認者名（ユーザ名）のデータは、滅菌管理テーブル１５０４の「インジケータ（ＢＩ）の確認者」に記憶され、（７）現在日付（検査日付／滅菌管理レポート作成日付）のデータは、滅菌管理テーブル１５０４の「検査日付／滅菌管理レポート作成日付」に記憶される。
【０１５６】
そして、サーバ１０１は、Ｓ５０２で取得した識別情報（コールドスポット用のケミカルインジケーターの識別情報部の識別情報）を含む、滅菌管理テーブル１５０４のレコードの各データを含む滅菌管理レポート１９０１（例えば、図１９）を生成して、出力する。
【０１５７】
滅菌管理レポート１９０１は、図１９に示すように、滅菌管理レポート作成日付、作成時のエリア名、作業者名を含む書誌情報１９０２と、診療科目１９０３と、器材セットのリスト１９０４（器材セット名、器材セットの種類（モデル））と、コールドスポット用のケミカルインジケーターに関する情報１９０５と、ＢＩに関する情報１９０７と、サイクルレポート１７０１とを含む。
【０１５８】
コールドスポット用のケミカルインジケーターに関する情報１９０５には、コールドスポット用のケミカルインジケーターの変色部の撮影結果１９０６と、ケミカルインジケータＡ（ＣＩ）の検査結果と、検査日と、インジケータＡ（ＣＩ）の確認者名（作業者名）とを含む。
【０１５９】
また、ＢＩに関する情報１９０７には、インジケータ（ＢＩ）の検査結果と、検査日と、インジケータ（ＢＩ）の確認者名を含む。
【０１６０】
サーバ１０１は、生成した滅菌管理レポート１９０１をクライアント端末１１３に表示（出力）する（Ｓ５１１）。
【０１６１】
次に、サーバ１０１は、Ｓ５０２で取得した識別情報（コールドスポット用のケミカルインジケーターの識別情報部の識別情報）を含む、滅菌管理テーブル１５０４のレコードの「器材セットの場所（エリア）／ステータス」に記憶されるデータを「既滅菌エリア／滅菌完了」に変更する。すなわち、サーバ１０１は、Ｓ５０２で取得した識別情報を含む滅菌管理テーブル１５０４のレコードの各器材セットが保管されているエリアを示す情報として「既滅菌エリア」を、また、滅菌工程が正常に完了したことを示す情報として、「滅菌完了」を「器材セットの場所（エリア）／ステータス」に登録（更新）する。
【０１６２】
サーバ１０１は、Ｓ５１２の処理を実行すると、処理をＳ５０１に移行する。
【０１６３】
このように、滅菌器１１２による滅菌が終了した後に、ケミカルインジケーターを撮影することで、当該ケミカルインジケーターの識別情報から特定される器材セットと、当該ケミカルインジケーターの変色部の変色結果（変色部の変色の良しあし）と、入力されるサイクルレポートに基づく滅菌工程の完了結果（滅菌工程の良しあし）と、入力されるＢＩの検査結果（ＢＩの検査の良しあし）とが関連付けられ、その関連付けられた状態のデータを出力するため、どの器材セットが、どのような滅菌の結果であるかをユーザは確認し易くなる。
＜図６＞
次に、図６に示すフローチャートを用いて、払出工程において、サーバ１０１が実行する処理について説明する。
【０１６４】
図６は、払出工程において、サーバ１０１が実行する処理の一例を示すフローチャートである。
【０１６５】
図６に示すＳ６０１〜Ｓ６０７に示すステップの処理は、サーバ１０１のＣＰＵが、外部メモリ等の記憶手段に格納されたプログラムをＲＡＭにロードして実行することにより実現される。
【０１６６】
また、図６に示すＳ６０８、Ｓ６０９に示すステップの処理は、手術管理システム１２２のＣＰＵが、外部メモリ等の記憶手段に格納されたプログラムをＲＡＭにロードして実行することにより実現される。
【０１６７】
払出工程では、作業者（ユーザ）が、保管された器材セットを手術室／手術準備室に払い出す工程である。
【０１６８】
まず、サーバ１０１は、手術管理システム１２２から、手術管理システム１２２のメモリ等の記憶手段に記憶されている未払出しの図２０に示す手術情報（オーダー情報）２００１を取得する（Ｓ６０１）。すなわち、「払出状況」の項目が「未払出」の手術情報（オーダー情報）２００１のレコードの情報を取得する。
【０１６９】
図２０は、手術情報（オーダー情報）２００１の一例を示す図である。
【０１７０】
図２０に示す通り、手術情報（オーダー情報）２００１には、「手術ＩＤ」、「患者情報」、「器材セット名」、「器材セットの種類（モデル）」、「手術日付」、「払出先（手術室／手術準備室）」、「払出状況」の項目から構成される。
【０１７１】
「手術ＩＤ」には、手術を識別するための識別情報（ＩＤ）が記憶され、「患者情報」には、患者名が記憶され、「器材セット名」には、当該手術で使用する器材セットの器材セット名が記憶され、「器材セットの種類（モデル）」には、当該手術で使用する器材セットの種類（モデル）を示すデータが記憶され、「手術日付」には、当該患者が手術を行う日付が記憶され、「払出先（手術室／手術準備室）」、当該手術を行う手術室、あるいは当該手術室の手術準備室が記憶され、「払出状況」には、当該器材セットの種類（モデル）が当該払出先に払い出し済みか否かを示すデータが記憶されている。
【０１７２】
そして、サーバ１０１は、Ｓ６０１で取得した手術情報（オーダー情報）２００１を含む画面２１０１Ａ（図２１）をクライアント端末１１６に表示する（Ｓ６０２）。
【０１７３】
図２１は、クライアント端末１１６に表示される手術情報（オーダー情報）２００１の一例を示す図である。
【０１７４】
そして、ユーザは、手術情報（オーダー情報）２００１を含む画面２１０１Ａを確認して、払い出しが必要な器材を確認する。そして、読取装置１１７は、ユーザの操作に従い、保管工程で保管された器材セットの包装材の外面（外側）に貼り付けられた包装外部用シート１３０２の識別情報部１２０４を撮影する。そして、読取装置１１０は、識別情報部１２０４を含む画像を取得して、クライアント端末１０９に送信する。クライアント端末１０９は、当該画像を取得すると、当該画像をサーバ１０１に送信して、サーバ１０１は、当該画像を取得する。
【０１７５】
サーバ１０１は、当該画像に含まれる識別情報部１２０４から識別情報を読み取る。そして、サーバ１０１は、当該読み取られた識別情報に対応して、滅菌管理テーブル１５０４に記憶された器材セット名、及び器材セットの種類（モデル）を特定する。そして、サーバ１０１は、Ｓ６０１で取得した手術情報（現在、クライアント端末１１６に表示中の手術情報）のうち、当該特定された器材セット名、及び器材セットの種類（モデル）を含むレコードのみをクライアント端末１１６に表示する。図２１の画面２１０１Ｂは、当該特定された器材セット名、及び器材セットの種類（モデル）を含むレコードのみをクライアント端末１１６に表示した画面の一例である。
【０１７６】
そして、クライアント端末１１６は、画面２１０１Ｂに表示される１又は複数の手術情報のうち、払い出しを行う手術情報の選択をユーザにより受け付けて、その選択された手術情報を示す情報をサーバ１０１に送信する。手術情報とは、手術情報（オーダー情報）２００１の各レコード単位の情報を言う。
【０１７７】
サーバ１０１は、クライアント端末１１６から、当該選択された手術情報を示す情報を受け付けると、当該手術情報（オーダー情報）２００１の手術ＩＤを、Ｓ６０３で取得した識別情報を含む滅菌管理テーブル１５０４のレコードの「手術ＩＤ」に登録することで、器材セットの情報と、包装材に用いたケミカルインジケーターの識別情報と、コールドスポット用のケミカルインジケーターの識別情報と、滅菌管理レポートに含まれる各情報と、手術情報とを関連付ける（Ｓ６０５）。
【０１７８】
そして、サーバ１０１は、Ｓ６０３で取得した識別情報を含む滅菌管理テーブル１５０４のレコードの「器材セットの場所（エリア）／ステータス」を、払出エリアを示すデータ（例えば、払出エリア）と、払い出し済みであることを示すデータ（例えば、払出済）とを組み合わせた「払出エリア／払出済」に更新して登録する（Ｓ６０６）。
【０１７９】
また、サーバ１０１は、当該手術ＩＤを手術管理システム１２２に送信することで、手術情報の払出状況の更新要求を行う（Ｓ６０７）。
【０１８０】
手術管理システム１２２は、当該手術ＩＤを受信すると（Ｓ６０８）、当該手術ＩＤを含む手術情報（オーダー情報）２００１のレコードの「払出状況」を、払い出し済みであることを示すデータ（例えば、払出済）に更新する（Ｓ６０９）。
【０１８１】
ユーザは、Ｓ６０４で、手術情報を選択すると、当該器材セットが包装された包装材を、当該払出先に払い出す。
【０１８２】
滅菌コンテナ等の包装材は、外から中を視認不可能になっているが、上述の通り、保管工程で保管された器材セットの包装材の外面（外側）に貼り付けられた包装外部用シート１３０２の識別情報部１２０４の識別情報を読み取ることで、当該識別情報に対応して記憶された器材セット名、及び器材セットの種類（モデル）の器材セット（包装材の中の器材セット）を確認することが出来るようになる。また、当該識別情報を読み取ることで、払い出しを必要とする払出先を容易に確認できると共に、効率的に払出状況の管理を行い易くなる。
＜図７＞
次に、図７に示すフローチャートを用いて、開封工程・手術工程において、サーバ１０１が実行する処理について説明する。
【０１８３】
図７は、開封工程・手術工程において、サーバ１０１が実行する処理の一例を示すフローチャートである。
【０１８４】
図７に示す各ステップの処理は、サーバ１０１のＣＰＵが、外部メモリ等の記憶手段に格納されたプログラムをＲＡＭにロードして実行することにより実現される。
【０１８５】
図７に示す開封工程・手術工程では、払い出された器材セットを包装している包装材を作業者（ユーザ）が開封して、器材セットを確認する工程である。なお、本開封工程・手術工程は、手術前、あるいは、手術中に行う工程である。
【０１８６】
まず、ユーザは、クライアント端末１１９を操作して、これから行う手術の手術ＩＤの送信指示を行う。
【０１８７】
サーバ１０１は、ユーザの操作に従いクライアント端末１１９が送信した手術ＩＤの入力を受け付ける（Ｓ７０１）。
【０１８８】
そして、ユーザは、払い出された滅菌済みの器材セットが包装された包装材の蓋を開けて、包装内部用シート１３０１（使用済）を取り出す。そして、読取装置１２０は、当該取り出された包装内部用シート１３０１を撮影して、当該包装内部用シート１３０１の識別情報部１２０２と、変色部１２０１とを含む画像を取得する。
【０１８９】
そして、読取装置１２０は、撮影された画像をクライアント端末１１９に送信する。クライアント端末１１９は、当該画像を取得すると、当該画像をサーバ１０１に送信する。サーバ１０１は、当該画像を取得すると、当該画像の変色部の色値（色彩値）と、識別情報部に記録された識別情報とを読み取り取得する（Ｓ７０２）。
【０１９０】
そして、サーバ１０１は、Ｓ７０２で取得した変色部の色値（色彩値）が、使用済の変色部１２０１の所定の色値（閾値）であるか否かを判定することにより、変色部１２０１の色値が閾値を満たしているか否かを判定する（Ｓ７０３）。すなわち、Ｓ７０３では、Ｓ７０２で取得した変色部の色値（色彩値）が、所定の色値であるか否かを判定することで、変色部の変色が良好であるか、変色不良であるかを判定する。
【０１９１】
サーバ１０１は、Ｓ７０２で取得した変色部の色値（色彩値）が、使用済の変色部１２０１の所定の色値（閾値）である（変色部の変色が良好である）と判定された場合には（Ｓ７０３：ＹＥＳ）、処理をＳ７０５に移行し、一方、Ｓ７０２で取得した変色部の色値（色彩値）が、使用済の変色部１２０１の所定の色値（閾値）ではない（変色部の変色が不良である）と判定された場合には（Ｓ７０３：ＮＯ）、処理をＳ７０４に移行する。
【０１９２】
サーバ１０１は、Ｓ７０４において、変色部の変色が不良であることを示すアラート（例えば、図１６に示すアラート画面６（１６０７））をクライアント端末１１９に表示（出力）する。そして、処理をＳ７１０に移行する。
【０１９３】
これにより、ユーザは、包装内のケミカルインジケーターの変色部の変色不良を確認することができ、ユーザの目視により誤って、変色部の変色が良好と判断してしまうことを低減可能にすることができる。
【０１９４】
そして、サーバ１０１は、Ｓ７０２で取得した識別情報を含む滅菌管理テーブル１５０４のレコードの「器材セットの場所（エリア）／ステータス」を、当該レコードの手術ＩＤに対応して手術情報（オーダー情報）２００１に登録されている「払出先」のデータ（例えば、手術室Ａ）と、払い出し済みであることを示すデータ（例えば、払出済）とを組み合わせた「手術室Ａ／払出済」に更新して登録する（Ｓ７０５）。
【０１９５】
そして、撮像装置１２１は、包装材の蓋が開いた、各器材が配置された滅菌コンテナを上部から撮影することにより、滅菌コンテナに配置された各器材（器材セット）を撮影する。撮像装置１２１は、撮影された画像をクライアント端末１１９に送信して、クライアント端末１１９は、当該画像をサーバ１０１に送信する。そして、サーバ１０１は、当該画像をクライアント端末１１９から取得する（Ｓ７０６）。
【０１９６】
サーバ１０１は、Ｓ３１６と同様に、Ｓ７０６で取得した画像を解析して、当該画像に含まれる各器材の器材セットの種類（モデル）、及び当該画像に含まれる器材の器材数を特定する（Ｓ７０７）。
【０１９７】
具体的には、サーバ１０１は、Ｓ７０６で取得した画像の中から、図１５に示す器材セット情報１５０１の「器材ごとの形状」に記憶されているデータ（形状情報）に対応（一致）する器材を特定し、当該特定された器材の数（機材数）を特定する。そして、サーバ１０１は、当該特定された器材の機材セットの種類（モデル）を特定する。例えば、サーバ１０１は、図１５に示す器材セット情報１５０１の「器材ごとの形状」に、器材セットを構成する器材ごとに形状情報が記憶されているため、当該特定された器材の「器材ごとの形状」のレコードの「器材セットの種類（モデル）」を特定することで、当該特定された器材の機材セットの種類（モデル）を特定することができる。
【０１９８】
そして、サーバ１０１は、Ｓ７０２で取得した識別情報を含む滅菌管理テーブル１５０４のレコードに含まれる器材セットの種類（モデル）、及び器材数（当該器材セットの種類（モデル）に対応して器材セット情報１５０１に記憶されている器材数）と、Ｓ７０７で特定された器材セットの種類（モデル）、及び器材数とが一致しているか否かを判定する（Ｓ７０８）。
【０１９９】
サーバ１０１は、Ｓ７０８で一致していないと判定された場合には（ＮＯ）、器材の種類、及び／又は器材数が異なる旨のアラートをクライアント端末１０６に出力する（Ｓ７０９）。
【０２００】
Ｓ７０９では、例えば、サーバ１０１は、図１６に示すアラート画面２（１６０３）をクライアント端末１０６に表示させる。Ｓ７０９において表示するアラート画面２（１６０３）では、Ｓ７０２で取得した識別情報を含む滅菌管理テーブル１５０４のレコードに含まれる器材セットの種類（モデル）、及び器材数と、Ｓ７０７で特定された器材セットの種類（モデル）、及び器材数とが異なる旨を表示する。そして、処理をＳ７１０に移行する。
【０２０１】
また、サーバ１０１は、Ｓ７０８で一致していると判定された場合には（ＹＥＳ）、処理をＳ７１０に移行する。
【０２０２】
そして、サーバ１０１は、Ｓ７０１で入力された手術ＩＤを含む、滅菌管理テーブル１５０４の全てのレコードの器材セットに対して、Ｓ７０２からＳ７０８の処理を実行したかを判定することで、次の器材セットがあるか否かを判定する（Ｓ７１０）。サーバ１０１は、次の器材セットがあると判定された場合には（ＹＥＳ）、処理をＳ７０２に移行し、一方、次の器材セットがないと判定された場合には（ＮＯ）、処理をＳ７１１に移行する。
【０２０３】
サーバ１０１は、ユーザの操作に従いクライアント端末１１９から送信される器材の追加指示を受け付けたか否かを判定する（Ｓ７１１）。
【０２０４】
サーバ１０１は、クライアント端末１１９から器材の追加指示を受け付けていないと判定された場合には、処理をＳ７０１に戻す。一方、当該追加指示を受け付けたと判定された場合には、処理をＳ７１２に移行する。
【０２０５】
Ｓ７０８において、器材セットの種類（モデル）、及び器材数が一致していないと判定された場合は、器材が足りていない場合や、手術や患者等の状況に応じて、追加で必要となる器材が発生する場合がある。そのため、器材の追加指示を受け付けることができるようにしている。
ユーザは、追加で使用する滅菌済みの器材セットが包装された包装材の蓋を開けて、包装内部用シート１３０１（使用済）を取り出す。そして、読取装置１２０は、当該取り出された包装内部用シート１３０１を撮影して、当該包装内部用シート１３０１の識別情報部１２０２と、変色部１２０１とを含む画像を取得する。
【０２０６】
そして、読取装置１２０は、撮影された画像をクライアント端末１１９に送信する。クライアント端末１１９は、当該画像を取得すると、当該画像をサーバ１０１に送信する。サーバ１０１は、当該画像を取得すると、当該画像の変色部の色値（色彩値）と、識別情報部に記録された識別情報とを読み取り取得する（Ｓ７１２）。
【０２０７】
そして、サーバ１０１は、Ｓ７１２で取得した変色部の色値（色彩値）が、使用済の変色部１２０１の所定の色値（閾値）であるか否かを判定することにより、変色部１２０１の色値が閾値を満たしているか否かを判定する（Ｓ７１３）。すなわち、Ｓ７１３では、Ｓ７１２で取得した変色部の色値（色彩値）が、所定の色値であるか否かを判定することで、変色部の変色が良好であるか、変色不良であるかを判定する。
【０２０８】
サーバ１０１は、Ｓ７１２で取得した変色部の色値（色彩値）が、使用済の変色部１２０１の所定の色値（閾値）である（変色部の変色が良好である）と判定された場合には（Ｓ７１３：ＹＥＳ）、処理をＳ７１４に移行し、一方、Ｓ７１２で取得した変色部の色値（色彩値）が、使用済の変色部１２０１の所定の色値（閾値）ではない（変色部の変色が不良である）と判定された場合には（Ｓ７１３：ＮＯ）、処理をＳ７１５に移行する。
【０２０９】
サーバ１０１は、Ｓ７１５において、変色部の変色が不良であることを示すアラート（例えば、図１６に示すアラート画面６（１６０７））をクライアント端末１１９に表示（出力）する。そして、処理をＳ７０１に移行する。
【０２１０】
これにより、ユーザは、包装内のケミカルインジケーターの変色部の変色不良を確認することができ、ユーザの目視により誤って、変色部の変色が良好と判断してしまうことを低減可能にすることができる。
【０２１１】
次に、サーバ１０１は、Ｓ７１２で取得された識別情報に対して、Ｓ７０１で入力された手術ＩＤを登録して、手術情報と、当該識別情報とを関連付ける（Ｓ７１４）。
【０２１２】
具体的には、サーバ１０１は、Ｓ７１２で取得された識別情報（包装用インジケーターの識別情報部の識別情報）を含む、滅菌管理テーブル１５０４のレコードの「手術ＩＤ」に対して、Ｓ７０１で入力された手術ＩＤを登録して、当該識別情報により識別される器材セットの情報と、当該器材を使用する手術の手術ＩＤとを関連付ける。
【０２１３】
そして、サーバ１０１は、Ｓ７０１で入力された手術ＩＤ、Ｓ７１２で取得された識別情報（包装用インジケーターの識別情報部の識別情報）を含む、滅菌管理テーブル１５０４のレコードの「器材セット名」、及び「器材セットの種類（モデル）」のデータと、払出状況の更新要求を、手術管理システム１２２に送信して手術情報（オーダー情報）２００１の払出状況を更新する（Ｓ７１６）。手術管理システム１２２は、当該データと、当該払出状況の更新要求を受信すると、当該データに含まれる手術ＩＤのレコードを手術情報（オーダー情報）２００１に作成して、当該作成したレコードに、既に登録されている当該手術ＩＤの手術情報（オーダー情報）２００１のレコードの患者名、手術日付、払出先を登録し、当該受信したデータに含まれる、「器材セット名」、及び「器材セットの種類（モデル）」のデータをそれぞれ登録する。また、当該作成したレコードの「払出状況」に「払出済」のデータを登録する。
【０２１４】
そして、サーバ１０１は、Ｓ７０５と同様に、Ｓ７１２で取得された識別情報（包装用インジケーターの識別情報部の識別情報）を含む、滅菌管理テーブル１５０４のレコードの「器材セットの場所（エリア／ステータス）」を、Ｓ７０５で登録したデータ（例えば、手術室Ａ／払出済）に更新して登録する（Ｓ７１７）。
【０２１５】
そして、撮像装置１２１は、包装材（追加の器材セットが包装された包装材）の蓋が開いた、各器材が配置された滅菌コンテナを上部から撮影することにより、滅菌コンテナに配置された追加の各器材（器材セット）を撮影する。撮像装置１２１は、撮影された画像をクライアント端末１１９に送信して、クライアント端末１１９は、当該画像をサーバ１０１に送信する。そして、サーバ１０１は、当該画像をクライアント端末１１９から取得する（Ｓ７１８）。
【０２１６】
サーバ１０１は、Ｓ７０７と同様に、Ｓ７１８で取得した画像を解析して、当該画像に含まれる各器材の器材セットの種類（モデル）、及び当該画像に含まれる器材の器材数を特定する（Ｓ７１９）。
【０２１７】
そして、サーバ１０１は、Ｓ７１２で取得した識別情報を含む滅菌管理テーブル１５０４のレコードに含まれる器材セットの種類（モデル）、及び器材数（当該器材セットの種類（モデル）に対応して器材セット情報１５０１に記憶されている器材数）と、Ｓ７０７で特定された器材セットの種類（モデル）、及び器材数とが一致しているか否かを判定する（Ｓ７２０）。
【０２１８】
サーバ１０１は、Ｓ７２０で一致していないと判定された場合には（ＮＯ）、器材の種類、及び／又は器材数が異なる旨のアラートをクライアント端末１０６に出力する（Ｓ７２１）。
【０２１９】
Ｓ７２１では、例えば、サーバ１０１は、図１６に示すアラート画面２（１６０３）をクライアント端末１０６に表示させる。Ｓ７２１において表示するアラート画面２（１６０３）では、Ｓ７１２で取得した識別情報を含む滅菌管理テーブル１５０４のレコードに含まれる器材セットの種類（モデル）、及び器材数と、Ｓ７１９で特定された器材セットの種類（モデル）、及び器材数とが異なる旨を表示する。そして、処理をＳ７０１に移行する。
【０２２０】
また、サーバ１０１は、Ｓ７２０で一致していると判定された場合には（ＹＥＳ）、処理をＳ７０１に移行する。
＜図８＞
次に、図８に示すフローチャートを用いて、開封工程・手術工程において、サーバ１０１が実行する処理について説明する。
【０２２１】
図８は、開封工程・手術工程において、サーバ１０１が実行する処理の一例を示すフローチャートである。
【０２２２】
図８に示す各ステップの処理は、サーバ１０１のＣＰＵが、外部メモリ等の記憶手段に格納されたプログラムをＲＡＭにロードして実行することにより実現される。
【０２２３】
図８に示す開封工程・手術工程では、手術後に、手術で使用された器材セットの種類、及び器材数を確認する工程である。なお、本開封工程・手術工程は、手術後に行う工程である。
【０２２４】
まず、ユーザは、クライアント端末１１９を操作して、行った手術の手術ＩＤの送信指示を行う。
【０２２５】
サーバ１０１は、ユーザの操作に従いクライアント端末１１９が送信した手術ＩＤの入力を受け付ける（Ｓ８０１）。
【０２２６】
撮像装置１２１は、手術で使用した各器材（器材セット）を撮影する。撮像装置１２１は、撮影された画像をクライアント端末１１９に送信して、クライアント端末１１９は、当該画像をサーバ１０１に送信する。そして、サーバ１０１は、当該画像をクライアント端末１１９から取得する（Ｓ８０２）。
【０２２７】
サーバ１０１は、Ｓ３１６と同様に、Ｓ８０２で取得した画像を解析して、当該画像に含まれる各器材の器材セットの種類（モデル）、及び当該画像に含まれる器材の器材数を特定する（Ｓ８０３）。
【０２２８】
そして、サーバ１０１は、Ｓ８０１で入力された手術ＩＤ（あるいは、Ｓ７０２、又はＳ７１２で取得した識別情報）を含む滅菌管理テーブル１５０４のレコードに含まれる器材セットの種類（モデル）、及び器材数（当該器材セットの種類（モデル）に対応して器材セット情報１５０１に記憶されている器材数）と、Ｓ８０３で特定された器材セットの種類（モデル）、及び器材数とが一致しているか否かを判定する（Ｓ８０４）。
【０２２９】
サーバ１０１は、Ｓ８０４で一致していないと判定された場合には（ＮＯ）、器材の種類、及び／又は器材数が異なる旨のアラートをクライアント端末１０６に出力する（Ｓ８０６）。
【０２３０】
Ｓ８０６では、例えば、サーバ１０１は、図１６に示すアラート画面２（１６０３）をクライアント端末１０６に表示させる。Ｓ８０６において表示するアラート画面２（１６０３）では、Ｓ８０１で入力された手術ＩＤ（あるいは、Ｓ７０２、又はＳ７１２で取得した識別情報）を含む滅菌管理テーブル１５０４のレコードに含まれる器材セットの種類（モデル）、及び器材数と、Ｓ７０７で特定された器材セットの種類（モデル）、及び器材数とが異なる旨を表示する。そして、処理をＳ８０１に移行する。
【０２３１】
また、サーバ１０１は、Ｓ８０４で一致していると判定された場合には（ＹＥＳ）、処理をＳ８０５に移行する。
【０２３２】
そして、サーバ１０１は、Ｓ８０１で入力された手術ＩＤを含む、滅菌管理テーブル１５０４の全てのレコードの器材セットに対して、Ｓ８０２からＳ８０４の処理を実行したかを判定することで、次の器材セットがあるか否かを判定する（Ｓ８０５）。サーバ１０１は、次の器材セットがあると判定された場合には（ＹＥＳ）、処理をＳ８０２に移行し、一方、次の器材セットがないと判定された場合には（ＮＯ）、処理をＳ８０１に移行する。
＜図９＞
次に、図９に示すフローチャートを用いて、回収工程において、サーバ１０１が実行する処理について説明する。
【０２３３】
図９は、回収工程において、サーバ１０１が実行する処理の一例を示すフローチャートである。
【０２３４】
図９に示す各ステップの処理は、サーバ１０１のＣＰＵが、外部メモリ等の記憶手段に格納されたプログラムをＲＡＭにロードして実行することにより実現される。
【０２３５】
図９に示す回収工程では、手術で使用された器材セットを手術室／手術準備室から回収して、その器材セットの種類、及び器材数を確認する工程である。
【０２３６】
読取装置１０３は、手術に使用された器材セットの包装材の中からユーザにより取り出された包装内部用シート１３０１を撮影して、当該包装内部用シート１３０１の識別情報部１２０２を含む画像を取得する。
【０２３７】
そして、読取装置１０３は、撮影された画像をクライアント端末１０２に送信する。クライアント端末１０２は、当該画像を取得すると、当該画像をサーバ１０１に送信する。サーバ１０１は、当該画像を取得すると、当該画像内の識別情報部に記録された識別情報を読み取り取得する（Ｓ９０１）。
【０２３８】
サーバ１０１は、クライアント端末１０２から、当該識別情報を取得すると、Ｓ９０１で取得した識別情報を含む滅菌管理テーブル１５０４のレコードの「器材セットの場所（エリア）／ステータス」を、器材セットが回収される回収部屋である中央材料室であることを示すデータ（例えば、中央材料室）、及び、回収済みであることを示すデータ（例えば、回収済）に更新して登録する（Ｓ９０２）。
【０２３９】
そして、撮像装置１０４は、手術に使用された器材セットを撮影する。撮像装置１０４は、撮影された画像をクライアント端末１０２に送信して、クライアント端末１０２は、当該画像をサーバ１０１に送信する。そして、サーバ１０１は、当該画像をクライアント端末１０２から取得する（Ｓ９０３）。
【０２４０】
サーバ１０１は、Ｓ３１６と同様に、Ｓ９０３で取得した画像を解析して、当該画像に含まれる各器材の器材セットの種類（モデル）、及び当該画像に含まれる器材の器材数を特定する（Ｓ９０４）。
【０２４１】
具体的には、サーバ１０１は、Ｓ９０３で取得した画像の中から、図１５に示す器材セット情報１５０１の「器材ごとの形状」に記憶されているデータ（形状情報）に対応（一致）する器材を特定し、当該特定された器材の数（機材数）を特定する。そして、サーバ１０１は、当該特定された器材の機材セットの種類（モデル）を特定する。例えば、サーバ１０１は、図１５に示す器材セット情報１５０１の「器材ごとの形状」に、器材セットを構成する器材ごとに形状情報が記憶されているため、当該特定された器材の「器材ごとの形状」のレコードの「器材セットの種類（モデル）」を特定することで、当該特定された器材の機材セットの種類（モデル）を特定することができる。
【０２４２】
そして、サーバ１０１は、Ｓ９０１で取得した識別情報を含む滅菌管理テーブル１５０４のレコードに含まれる器材セットの種類（モデル）、及び器材数（当該器材セットの種類（モデル）に対応して器材セット情報１５０１に記憶されている器材数）と、Ｓ９０４で特定された器材セットの種類（モデル）、及び器材数とが一致しているか否かを判定する（Ｓ９０５）。
【０２４３】
サーバ１０１は、Ｓ９０５で一致していないと判定された場合には（ＮＯ）、器材の種類、及び／又は器材数が異なる旨のアラートをクライアント端末１０６に出力する（Ｓ９０７）。
【０２４４】
Ｓ９０７では、例えば、サーバ１０１は、図１６に示すアラート画面２（１６０３）をクライアント端末１０６に表示させる。Ｓ９０７において表示するアラート画面２（１６０３）では、Ｓ９０１で取得した識別情報を含む滅菌管理テーブル１５０４のレコードに含まれる器材セットの種類（モデル）、及び器材数と、Ｓ９０４で特定された器材セットの種類（モデル）、及び器材数とが異なる旨を表示する。そして、処理をＳ９０１に移行する。
【０２４５】
また、サーバ１０１は、Ｓ９０５で一致していると判定された場合には（ＹＥＳ）、処理をＳ９０６に移行する。
【０２４６】
そして、サーバ１０１は、クライアント端末１０２から、次の器材セットがあるか否かの指示を受け付けて、当該受け付けた内容の情報に基づいて、次の器材セットがあるか否かを判定する（Ｓ９０６）。サーバ１０１は、次の器材セットがあると判定された場合には（ＹＥＳ）、処理をＳ９０３に移行し、一方、次の器材セットがないと判定された場合には（ＮＯ）、処理をＳ９０１に移行する。
＜図１０＞
次に、図１０に示すフローチャートを用いて、サーバ１０１が、各クライアント端末からの要求に応じて、滅菌管理レポートの出力（表示）処理について説明する。
【０２４７】
図１０は、サーバ１０１が、各クライアント端末からの要求に応じて、滅菌管理レポートの出力（表示）する処理の一例を示すフローチャートである。
【０２４８】
図１０に示す各ステップの処理は、サーバ１０１のＣＰＵが、外部メモリ等の記憶手段に格納されたプログラムをＲＡＭにロードして実行することにより実現される。
【０２４９】
まず、クライアント端末は、ユーザにより、滅菌管理レポートの出力要求、及び、手術ＩＤ、又はケミカルインジケーターの識別情報部（１２０２、１２０４の何れか）に記録された識別情報の入力を受け付けると、当該手術ＩＤ、又は当該識別情報、及び、滅菌管理レポートの出力要求をサーバ１０１に送信する。
【０２５０】
ここでクライアント端末は、クライアント端末１０２、１０６、１０９、１１２、１１６、１１９の何れかの任意の端末である。
【０２５１】
サーバ１０１は、クライアント端末から、当該手術ＩＤ、又は当該識別情報、及び滅菌管理レポートの出力要求を受け付けると（Ｓ１００１）、当該手術ＩＤ、又は当該識別情報を含む、滅菌管理テーブル１５０４のレコードを特定して、当該レコードに含まれる情報を取得する。
【０２５２】
そして、サーバ１０１は、当該取得した情報に基づいて、滅菌管理レポート（例えば、図１９）を生成して、当該クライアント端末に表示するべく出力（送信）する（Ｓ１００２）。
【０２５３】
そして、当該クライアント端末は、当該滅菌管理レポートを受信すると、当該滅菌管理レポートを表示部に表示する。
【０２５４】
これにより、任意のクライアント端末で、ケミカルインジケーターの識別情報部（１２０２、１２０４の何れか）に記録された識別情報に基づいて特定された器材セットの滅菌管理レポートを表示することができ、当該器材セットの滅菌の状況を容易に確認することが出来るようになる。
【０２５５】
以上、本発明によれば、ユーザが誤ったインジケーターを使用することを低減可能にすることができる。
【０２５６】
本発明は、例えば、システム、装置、方法、プログラムもしくは記録媒体等としての実施態様をとることが可能である。具体的には、複数の機器から構成されるシステムに適用しても良いし、また、一つの機器からなる装置に適用しても良い。
【０２５７】
また、本発明におけるプログラムは、図示したフローチャートの処理方法をコンピュータが実行可能なプログラムであり、本発明の記憶媒体は当該処理方法をコンピュータが実行可能なプログラムが記憶されている。なお、本発明におけるプログラムは各装置の処理方法ごとのプログラムであってもよい。
【０２５８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０２５９】
この場合、記録媒体から読み出されたプログラム自体が本発明の新規な機能を実現することになり、そのプログラムを記録した記録媒体は本発明を構成することになる。
【０２６０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０２６１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２６２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２６３】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０２６４】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０２６５】
１０１  サーバ
１０２  クライアント端末
１０３  読取装置
１０４  撮像装置
１０５  洗浄機
１０６  クライアント端末
１０７  読取装置
１０８  撮像装置
１０９  クライアント端末
１１０  読取装置
１１２  滅菌器
１１３  クライアント端末
１１４  読取装置
１１６  クライアント端末
１１７  読取装置
１１８  撮像装置
１１９  クライアント端末
１２０  読取装置
１２１  撮像装置
【図１】
2020113205.tif 000003
【図２】
2020113205.tif 000004
【図３】
2020113205.tif 000005
【図４】
2020113205.tif 000006
【図５】
2020113205.tif 000007
【図６】
2020113205.tif 000008
【図７】
2020113205.tif 000009
【図８】
2020113205.tif 000010
【図９】
2020113205.tif 000011
【図１０】
2020113205.tif 000012
【図１１】
2020113205.tif 000013
【図１２】
2020113205.tif 000014
【図１３】
2020113205.tif 000015
【図１４】
2020113205.tif 000016
【図１５】
2020113205.tif 000017
【図１６】
2020113205.tif 000018
【図１７】
2020113205.tif 000019
【図１８】
2020113205.tif 000020
【図１９】
2020113205.tif 000021
【図２０】
2020113205.tif 000022
【図２１】
2020113205.tif 000023